(57)【要約】【課題】挿入されたカードの引抜きを確実に防止することが可能なカードリーダを提供する。【解決手段】カードリーダ１は、カード通過路３を閉鎖する閉位置とカード通過路３を開放する開位置との間で回動可能に構成されカードリーダ１に挿入されたカードの引抜きを閉位置で防止する引抜き防止部材８を備えており、引抜き防止部材８は、引抜き防止部材８が閉位置に配置されているときに、カード通過路３の一部を閉鎖するカード当接部８ｄを備えている。カード当接部８ｄには、引抜き防止部材８が閉位置に配置されているときに、カードリーダ１に挿入されたカードの手前端が当接可能な当接面８ｇが形成され、カード当接部８ｄは、引抜き防止部材８が開位置から閉位置へ移動するときにＺ２方向側に向かって移動する。当接面８ｇは、Ｚ２方向側に向かうにしたがって奥側へ向かうように傾斜する傾斜面になっている。【選択図】図２
2016122376.tif 000002
【特許請求の範囲】
【請求項１】
カードに記録されたデータの読取りおよび前記カードへのデータの記録の少なくともいずれか一方を行うカードリーダにおいて、
前記カードが通過するカード通過路と、前記カード通過路を閉鎖する閉位置と前記カード通過路を開放する開位置との間で回動可能に構成され前記カードリーダに挿入された前記カードの引抜きを前記閉位置で防止する引抜き防止部材と、前記閉位置と前記開位置との間で前記引抜き防止部材を回動させる回動機構とを備え、
前記カード通過路を通過する前記カードの通過方向と前記カード通過路を通過する前記カードの厚さ方向とに直交する方向を前記カードの幅方向とし、前記カードリーダへの前記カードの挿入方向側を奥側とし、前記カードリーダからの前記カードの引抜き方向側を手前側とし、前記カードの厚さ方向の一方側を第１方向側とし、前記カードの厚さ方向の他方側を第２方向側とすると、
前記引抜き防止部材は、前記引抜き防止部材が前記閉位置に配置されているときに、前記カード通過路の一部を閉鎖するカード当接部を備え、
前記カード当接部には、前記引抜き防止部材が前記閉位置に配置されているときに、前記カードリーダに挿入された前記カードの手前端が当接可能な当接面が形成され、
前記カード当接部は、前記引抜き防止部材が前記開位置から前記閉位置へ移動するときに第１方向側から第２方向側に向かって移動し、
前記当接面は、前記引抜き防止部材が前記閉位置に配置されているときに前記カードの幅方向から見ると、第２方向側に向かうにしたがって奥側へ向かうように傾斜する傾斜面になっていることを特徴とするカードリーダ。
【請求項２】
前記カードリーダの奥側への前記カードの挿入限界位置に到達した前記カードの手前端と、前記開位置と前記閉位置との間で移動する前記当接面との間には、隙間が形成されていることを特徴とする請求項１記載のカードリーダ。
【請求項３】
前記引抜き防止部材は、前記カードの幅方向を回動の軸方向として回動可能となっており、
前記引抜き防止部材の回動中心は、前記カード当接部よりも奥側に配置されるとともに前記カード通過路よりも第１方向側に配置されていることを特徴とする請求項１または２記載のカードリーダ。
【請求項４】
前記引抜き防止部材は、前記引抜き防止部材の回動中心から手前側に向かって延びる延出部と、前記延出部の手前端から手前側かつ第２方向側へ延びる第２延出部とを備え、
前記カード当接部は、前記第２延出部の先端から第２方向側へ延びるように形成され、
前記第２延出部の第２方向側の端面は、前記当接面に繋がる第１端面となっており、
前記延出部の第２方向側の端面は、前記第１端面に繋がる第２端面となっており、
前記当接面と前記第１端面との境界部分、および、前記第１端面と前記第２端面との境界部分には、Ｒ加工が施されていることを特徴とする請求項１から３のいずれかに記載のカードリーダ。
【請求項５】
前記引抜き防止部材は、ステンレス鋼で形成されていることを特徴とする請求項１から４のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードを手動で操作して、カードに記録されたデータの読取りやカードへのデータの記録を行ういわゆるディップ式のカードリーダが知られている（たとえば、特許文献１参照）。特許文献１に記載のカードリーダには、カード挿入口から挿入されたカードが通過するカード通過路が形成されている。また、このカードリーダは、カードの表面に形成されるＩＣチップの外部接続端子に接触する複数のＩＣ接点バネと、カードリーダに挿入されたカードの引抜きを防止するカードロック部材とを備えている。カードロック部材は、ソレノイドに連結されており、カード通過路を閉鎖する閉位置とカード通過路を開放する開位置との間で回動可能となっている。また、カードロック部材は、カードに形成されるＩＣチップの外部接続端子とＩＣ接点バネとが接触してデータの通信を行っているときにカードリーダからカードが引き抜かれるのを防止するために、閉位置でカードの引抜きを防止する機能を果たしている。
【先行技術文献】
【特許文献】
【０００３】
【特許文献１】特開平１１−２５９６０４号公報
【発明の概要】
【発明が解決しようとする課題】
【０００４】
カードリーダにカードが挿入されて、カードに形成されるＩＣチップの外部接続端子とＩＣ接点バネとが接触してデータの通信を行っているときに、カードリーダからカードが引き抜かれると、カードに記録されるべきデータが記録されなかったり、カードに記録されていたデータが消去されてしまったりする等の問題が生じる。そのため、市場では、挿入されたカードの引抜きを確実に防止することが可能なカードリーダが要求されている。
【０００５】
そこで、本発明の課題は、挿入されたカードの引抜きを確実に防止することが可能なカードリーダを提供することにある。
【課題を解決するための手段】
【０００６】
上記の課題を解決するため、本発明のカードリーダは、カードに記録されたデータの読取りおよびカードへのデータの記録の少なくともいずれか一方を行うカードリーダにおいて、カードが通過するカード通過路と、カード通過路を閉鎖する閉位置とカード通過路を開放する開位置との間で回動可能に構成されカードリーダに挿入されたカードの引抜きを閉位置で防止する引抜き防止部材と、閉位置と開位置との間で引抜き防止部材を回動させる回動機構とを備え、カード通過路を通過するカードの通過方向とカード通過路を通過するカードの厚さ方向とに直交する方向をカードの幅方向とし、カードリーダへのカードの挿入方向側を奥側とし、カードリーダからのカードの引抜き方向側を手前側とし、カードの厚さ方向の一方側を第１方向側とし、カードの厚さ方向の他方側を第２方向側とすると、引抜き防止部材は、引抜き防止部材が閉位置に配置されているときに、カード通過路の一部を閉鎖するカード当接部を備え、カード当接部には、引抜き防止部材が閉位置に配置されているときに、カードリーダに挿入されたカードの手前端が当接可能な当接面が形成され、カード当接部は、引抜き防止部材が開位置から閉位置へ移動するときに第１方向側から第２方向側に向かって移動し、当接面は、引抜き防止部材が閉位置に配置されているときにカードの幅方向から見ると、第２方向側に向かうにしたがって奥側へ向かうように傾斜する傾斜面になっていることを特徴とする。
【０００７】
本発明のカードリーダでは、引抜き防止部材が閉位置に配置されているときにカード通過路の一部を閉鎖するカード当接部は、引抜き防止部材が開位置から閉位置へ移動するときに第１方向側から第２方向側に向かって移動する。また、本発明では、引抜き防止部材が閉位置に配置されているときに、カードリーダに挿入されたカードの手前端が当接可能な当接面がカード当接部に形成され、当接面は、引抜き防止部材が閉位置に配置されているときにカードの幅方向から見ると、第２方向側に向かうにしたがって奥側へ向かうように傾斜する傾斜面になっている。そのため、本発明では、カードリーダから引き抜かれるカードの手前端が当接面に当接すると、引抜き防止部材が閉位置に向かう方向の力が引抜き防止部材に作用して、引抜き防止部材が開位置へ移動しにくくなる。したがって、本発明では、カードリーダに挿入されたカードの引抜きを引抜き防止部材によって確実に防止することが可能になる。
【０００８】
本発明において、カードリーダの奥側へのカードの挿入限界位置に到達したカードの手前端と、開位置と閉位置との間で移動する当接面との間には、隙間が形成されていることが好ましい。このように構成すると、カードの手前端と当接面との接触を防止することが可能になる。したがって、カードの手前端での傷の発生を防止することが可能になる。
【０００９】
本発明において、たとえば、引抜き防止部材は、カードの幅方向を回動の軸方向として回動可能となっており、引抜き防止部材の回動中心は、カード当接部よりも奥側に配置されるとともにカード通過路よりも第１方向側に配置されている。
【００１０】
この場合には、引抜き防止部材は、引抜き防止部材の回動中心から手前側に向かって延びる延出部と、延出部の手前端から手前側かつ第２方向側へ延びる第２延出部とを備え、カード当接部は、第２延出部の先端から第２方向側へ延びるように形成され、第２延出部の第２方向側の端面は、当接面に繋がる第１端面となっており、延出部の第２方向側の端面は、第１端面に繋がる第２端面となっており、当接面と第１端面との境界部分、および、第１端面と第２端面との境界部分には、Ｒ加工が施されていることが好ましい。このように構成すると、カードリーダから引き抜かれるカードが当接面に当接して当接面にカードの引抜き力が作用しても、当接面と第１端面との境界部分および第１端面と第２端面との境界部分に応力が集中するのを防止することが可能になる。したがって、引抜き防止部材の損傷や変形を防止することが可能になる。
【００１１】
本発明において、引抜き防止部材は、ステンレス鋼で形成されていることが好ましい。このよう構成すると、引抜き防止部材の剛性を高めることが可能になる。したがって、引抜き防止部材の損傷や変形を防止することが可能になる。
【発明の効果】
【００１２】
以上のように、本発明では、カードリーダに挿入されたカードの引抜きを確実に防止することが可能になる。
【図面の簡単な説明】
【００１３】
【図１】本発明の実施の形態にかかるカードリーダの構造を説明するための平面図である。
【図２】図１に示すカードリーダの構造を説明するための縦断面図である。
【図３】図１に示すＩＣ接点ブロックの動作を説明するための側面図である。
【図４】図２に示す引抜き防止部材および軸支持部材等を反対側から示す図である。
【発明を実施するための形態】
【００１４】
以下、図面を参照しながら、本発明の実施の形態を説明する。
【００１５】
（カードリーダの全体構成）
図１は、本発明の実施の形態にかかるカードリーダ１の構造を説明するための平面図である。図２は、図１に示すカードリーダ１の構造を説明するための縦断面図である。図３は、図１に示すＩＣ接点ブロック６の動作を説明するための側面図である。
【００１６】
本形態のカードリーダ１は、ユーザが手動でカード２を操作して、カード２に記録されたデータの読取りおよびカード２へのデータの記録の少なくともいずれか一方を行うための装置である。具体的には、カードリーダ１は、カードリーダ１へのカード２の挿入とカードリーダ１からのカード２の引抜きとを手動で行ってデータの読取りや記録を行ういわゆるディップ式のカードリーダである。このカードリーダ１は、所定の上位装置（図示省略）に搭載されて使用される。
【００１７】
図２に示すように、カードリーダ１には、カード２が通過するカード通過路３が形成されている。カードリーダ１は、内部にカード通過路３が形成されるフレーム４と、複数のＩＣ接点バネ５を有するＩＣ接点ブロック６と、磁気ヘッド７とを備えている。また、カードリーダ１は、カードリーダ１に挿入されたカード２の引抜きを防止する引抜き防止部材としてのレバー部材８と、レバー部材８を回動させる回動機構９とを備えている。
【００１８】
本形態では、図１等に示すＸ方向にカード２が通過する。具体的には、Ｘ１方向にカード２が挿入され、Ｘ２方向にカード２が引き抜かれる。すなわち、Ｘ１方向側は、カードリーダ１へのカード２の挿入方向側であり、Ｘ２方向側は、カードリーダ１からのカード２の引抜き方向側である。また、Ｘ方向に直交する図１等のＺ方向は、カード通過路３を通過するカード２の厚さ方向であり、Ｘ方向とＺ方向とに直交する図１等のＹ方向は、カード通過路３を通過するカード２の幅方向である。以下の説明では、Ｘ方向を「前後方向」、Ｙ方向を「左右方向」、Ｚ方向を「上下方向」とする。また、Ｘ１方向側を「奥（後ろ）」側、Ｘ２方向側を「手前（前）」側、Ｚ１方向側を「上」側、Ｚ２方向側を「下」側とする。本形態では、上側（Ｚ１方向側）は、カード２の厚さ方向の一方側である第１方向側であり、下側（Ｚ２方向側）は、カード２の厚さ方向の他方側である第２方向側である。
【００１９】
カード２は、厚さが０．７〜０．８ｍｍ程度の略長方形状の塩化ビニール製のカードである。このカード２は、国際規格やＪＩＳ規格に準拠したカードである。カード２の裏面には、磁気データが記録される磁気ストライプが形成されている。また、カード２には、ＩＣチップが内蔵されており、カード２のおもて面には、ＩＣチップの外部接続端子が形成されている。カード２は、カード２のおもて面が上側を向くとともにカード２の長手方向が前後方向と略一致した状態でカードリーダ１に挿入される。
【００２０】
図１に示すように、カードリーダ１の手前端側の一部分は、ユーザによるカード２の挿入およびカード２の引抜きが可能となるように切り欠かれた切欠部１３となっている。具体的には、上下方向から見たときの形状が略Ｕ形状となる切欠部１３が、フレーム４の手前端から奥側に向かって切り欠かれるように形成されている。また、左右方向では、フレーム４の中間位置に切欠部１３が形成されており、左右方向における切欠部１３の両側には、突出部１４、１５が形成されている。切欠部１３の左右方向の幅は、ユーザの指が入る広さとなっている。
【００２１】
カード通過路３は、図２に示すように、左右方向から見たときの形状が直線状となるように形成されている。カード通過路３の手前端は、カード２が挿入される挿入口１６となっている。すなわち、突出部１４、１５の手前端に挿入口１６が形成されている。磁気ヘッド７は、突出部１４の手前端部分に配置されている。また、磁気ヘッド７は、磁気ヘッド７のギャップが下側からカード通過路３に臨むように配置されている。
【００２２】
ＩＣ接点ブロック６は、カードリーダ１の奥端側部分に配置されている。また、ＩＣ接点ブロック６は、ＩＣ接点バネ５が上側からカード通過路３に臨むように配置されており、ＩＣ接点ブロック６は、カード通過路３の上側に配置されている。図３に示すように、ＩＣ接点ブロック６の奥端には、カード２の先端（奥端）が係合するカード係合部６ａが形成されている。
【００２３】
また、ＩＣ接点ブロック６は、平行リンク機構１８を介してフレーム４の上端側部分に連結されており、前後方向にスライドしながら上下動する。具体的には、ＩＣ接点ブロック６は、図３（Ｂ）に示すように、奥側に移動すると下降し、図３（Ａ）に示すように、手前側に移動すると上昇する。また、ＩＣ接点ブロック６は、引張りコイルバネ１９によって手前側に付勢されている。なお、フレーム４に形成されるガイド溝にＩＣ接点ブロック６の一部が係合するとともに、このガイド溝に案内されて、ＩＣ接点ブロック６が前後方向にスライドしながら上下動しても良い。
【００２４】
本形態では、カードリーダ１の奥側へ挿入されたカード２の先端がＩＣ接点ブロック６のカード係合部６ａに係合すると、ＩＣ接点ブロック６が奥側にスライドしながら下降して、カード２の外部接続端子に複数のＩＣ接点バネ５が接触する（図３（Ｂ）参照）。また、奥側に挿入されたカード２が手前側に引き抜かれると、カード２のおもて面からＩＣ接点バネ５が離れるように、引張りコイルバネ１９の付勢力によって、ＩＣ接点ブロック６が手前側にスライドしながら上昇する（図３（Ａ）参照）。
【００２５】
なお、本形態では、ＩＣ接点ブロック６が奥側にスライドしながら下降してカード２の外部接続端子に複数のＩＣ接点バネ５が接触し、カード２が奥側へ移動できなくなった状態（図３（Ｂ）に示す状態）が、カードリーダ１の奥側へのカード２の挿入限界位置にカード２が到達した状態である。また、ＩＣ接点ブロック６が奥側にスライドしながら下降してカード２の外部接続端子に複数のＩＣ接点バネ５が接触し、カード２が奥側へ移動できなくなったときのカード２の位置が、カード２の外部接続端子とカードリーダ１とが通信を行うときの設計上のカード２の位置である。
【００２６】
（レバー部材および回動機構の構成）
図４は、図２に示すレバー部材８および軸支持部材２５等を反対側から示す図である。
【００２７】
レバー部材８は、カード通過路３を閉鎖する閉位置８Ａ（図２に示す位置および図４の実線で示す位置）とカード通過路３を開放する開位置８Ｂ（図４の二点鎖線で示す位置）との間で回動可能となっており、カードリーダ１に挿入されたカード２の引抜きを閉位置８Ａで防止する。回動機構９は、閉位置８Ａと開位置８Ｂとの間でレバー部材８を回動させる。この回動機構９は、ソレノイド２１と、ソレノイド２１のプランジャに固定される固定ピン２２とを備えている。固定ピン２２は、その軸方向と左右方向とが一致するように配置されている。また、固定ピン２２は、固定ピン２２の左右の両端側部分がプランジャから突出するようにプランジャに固定されている。
【００２８】
レバー部材８は、ステンレス鋼で形成されている。具体的には、レバー部材８は、ステンレス製の薄鋼板が所定形状に折り曲げられることで形成されている。このレバー部材８は、左右方向を軸方向として配置される回動中心軸２４に回動可能に保持されており、左右方向を回動の軸方向として、かつ、回動中心軸２４を中心にして回動可能となっている。また、レバー部材８は、回動中心軸２４に支持される回動中心部８ａと、回動中心部８ａから手前側に向かって延びる（すなわち、レバー部材８の回動中心から手前側に向かって延びる）延出部８ｂと、延出部８ｂの手前端から手前側かつ下側へ延びる第２延出部８ｃと、第２延出部８ｃの先端（手前端）から下側へ延びるカード当接部８ｄと、回動中心部８ａから奥側に向かって延びるカム溝形成部８ｅとを備えている。
【００２９】
回動中心軸２４は、フレーム４に固定される軸支持部材２５に固定されている。この回動中心軸２４は、カード通過路３よりも上側に配置されている。すなわち、レバー部材８の回動中心は、カード通過路３よりも上側に配置されている。また、カード当接部８ｄは、回動中心部８ａよりも手前側に配置されているため、レバー部材８の回動中心は、カード当接部８ｄよりも奥側に配置されている。軸支持部材２５には、固定ピン２２の左右の両端側部分が挿通されるガイド溝２５ａが形成されている。ガイド溝２５ａは、前後方向を長手方向とする長孔状に形成されている。また、ガイド溝２５ａは、回動中心軸２４よりも奥側に形成されている。
【００３０】
回動中心部８ａは、前後両端側と下側とが開口する略角溝状に形成されている。回動中心部８ａには、回動中心軸２４が挿通されている。カム溝形成部８ｅは、略長方形の平板状に形成されている。このカム溝形成部８ｅは、その厚さ方向と左右方向とが一致するように配置されており、カム溝形成部８ｅの手前端は、回動中心部８ａの左右方向の一端に繋がっている。カム溝形成部８ｅには、固定ピン２２の左右方向の一端側部分が挿通されるカム溝８ｆが形成されている。回動中心部８ａおよびカム溝形成部８ｅは、カード通過路３よりも上側に配置されている。
【００３１】
延出部８ｂは、前後方向に細長い略長方形の平板に形成されている。この延出部８ｂは、その厚さ方向と左右方向とが一致するように配置されており、延出部８ｂの奥端は、回動中心部８ａの左右方向の他端に繋がっている。第２延出部８ｃおよびカード当接部８ｄは、略長方形の平板状に形成されており、その厚さ方向と左右方向とが一致するように配置されている。延出部８ｂおよび第２延出部８ｃは、カード通過路３よりも上側に配置されている。
【００３２】
図２に示すように、カード当接部８ｄは、レバー部材８が閉位置８Ａに配置されているときに、カード通過路３の一部を閉鎖している。具体的には、カード当接部８ｄは、レバー部材８が閉位置８Ａに配置されているときに、突出部１４の手前側部分に形成されるカード通過路３の一部を閉鎖している。上述のように、延出部８ｂおよび第２延出部８ｃは、カード通過路３よりも上側に配置されており、カード当接部８ｄは、レバー部材８が開位置８Ｂから閉位置８Ａへ移動するときに上側から下側に向かって移動する。
【００３３】
カード当接部８ｄには、レバー部材８が閉位置８Ａに配置されているときに、カードリーダ１に挿入されたカード２の手前端２ａ（図４参照）が当接可能な当接面８ｇが形成されている。すなわち、カード当接部８ｄの奥端面は、当接面８ｇとなっている。図４に示すように、当接面８ｇは、レバー部材８が閉位置８Ａに配置されているときに左右方向から見ると、下側に向かうにしたがって奥側へ向かうように傾斜する傾斜面となっている。
【００３４】
第２延出部８ｃの下側の端面は、当接面８ｇに繋がる第１端面８ｈとなっている。延出部８ｂの下側の端面は、第１端面８ｈに繋がる第２端面８ｊとなっている。図４に示すように、当接面８ｇと第１端面８ｈとの境界部分、および、第１端面８ｈと第２端面８ｊとの境界部分には、Ｒ加工が施されている。すなわち、当接面８ｇと第１端面８ｈとの境界部分は滑らかな凹曲面状に形成され、第１端面８ｈと第２端面８ｊとの境界部分は滑らかな凹曲面状に形成されている。
【００３５】
本形態では、カードリーダ１の奥側へのカード２の挿入限界位置に到達したカード２（すなわち、カード２の外部接続端子に複数のＩＣ接点バネ５が接触して奥側へ移動できなくなった状態のカード２）の手前端２ａと、閉位置８Ａと開位置８Ｂとの間で移動する当接面８ｇとの間には隙間が形成されている。すなわち、カードリーダ１の奥側へのカード２の挿入限界位置に到達したカード２の手前端２ａに、閉位置８Ａと開位置８Ｂとの間で移動する当接面８ｇが接触しないように隙間が形成されている。
【００３６】
ソレノイド２１は、レバー部材８の回動中心部８ａの奥側に配置されている。また、ソレノイド２１は、ソレノイド２１のプランジャが手前側へ突出するようにフレーム４に固定されている。上述のように、固定ピン２２の左右の両端側部分は、軸支持部材２５に形成されるガイド溝２５ａに挿通されており、プランジャは前後方向へ移動する。また、固定ピン２２の左右方向の一端側部分は、レバー部材８に形成されるカム溝８ｆに挿通されており、プランジャが前後方向へ移動すると、回動中心軸２４を中心にして、閉位置８Ａと開位置８Ｂとの間でレバー部材８が回動する。
【００３７】
本形態では、カードリーダ１にカード２が挿入されていない待機時には、レバー部材８は、開位置８Ｂにある。また、本形態のカードリーダ１は、カード通過路３の奥側までカード２が挿入されたことを検知するための検知機構を備えており、この検知機構での検知結果に基づいてカード通過路３の奥側までカード２が挿入されたことが検知されると、レバー部材８は、開位置８Ｂから閉位置８Ａへ移動する。具体的には、カードリーダ１の奥側へのカード２の挿入限界位置にカード２が到達すると、レバー部材８が開位置８Ｂから閉位置８Ａへ移動する。
【００３８】
レバー部材８が閉位置８Ａにあるときには、上述のように、レバー部材８は、カードリーダ１に挿入されたカード２の引抜きを防止する。具体的には、レバー部材８は、カード２の外部接続端子とＩＣ接点バネ５とが接触してデータの読取りや記録（通信）を行っているときのカード２の引抜きを防止する。また、カードリーダ１とカード２との間の通信が終了して、カードリーダ１でのカード２の処理が終了すると、レバー部材８は、閉位置８Ａから開位置８Ｂへ移動する。
【００３９】
（本形態の主な効果）
以上説明したように、本形態では、レバー部材８が閉位置８Ａに配置されているときにカード通過路３の一部を閉鎖するカード当接部８ｄは、レバー部材８が開位置８Ｂから閉位置８Ａへ移動するときに上側から下側に向かって移動する。また、本形態では、カード当接部８ｄの奥端面となる当接面８ｇは、レバー部材８が閉位置８Ａに配置されているときに左右方向から見ると、下側に向かうにしたがって奥側へ向かうように傾斜する傾斜面となっている。そのため、本形態では、カードリーダ１から引き抜かれるカード２の手前端２ａが当接面８ｇに当接すると、カード２の手前端２ａが持ち上げられるとともに、レバー部材８が閉位置８Ａに向かう方向の力がレバー部材８に作用して、レバー部材８が開位置８Ｂへ移動しにくくなる。したがって、本形態では、レバー部材８によって、カードリーダ１に挿入されたカード２の引抜きを確実に防止することが可能になる。
【００４０】
本形態では、レバー部材８において、当接面８ｇと第１端面８ｈとの境界部分および第１端面８ｈと第２端面８ｊとの境界部分にＲ加工が施されている。そのため、本形態では、カードリーダ１から引き抜かれるカード２が当接面８ｇに当接して当接面８ｇにカード２の引抜き力が作用しても、当接面８ｇと第１端面８ｈとの境界部分および第１端面８ｈと第２端面８ｊとの境界部分に応力が集中するのを防止することが可能になる。したがって、本形態では、レバー部材８の損傷や変形を防止することが可能になる。特に本形態では、レバー部材８がステンレス鋼で形成されているため、レバー部材８の剛性を高めることが可能になる。したがって、本形態では、レバー部材８の損傷や変形を効果的に防止することが可能になる。
【００４１】
本形態では、カードリーダ１の奥側へのカード２の挿入限界位置に到達したカード２の手前端２ａに、閉位置８Ａと開位置８Ｂとの間で移動する当接面８ｇが接触しないように隙間が形成されている。そのため、本形態では、カード２の手前端２ａと当接面８ｇとの接触を防止することが可能になり、その結果、カード２の手前端２ａでの傷の発生を防止することが可能になる。
【００４２】
（他の実施の形態）
上述した形態は、本発明の好適な形態の一例ではあるが、これに限定されるものではなく本発明の要旨を変更しない範囲において種々変形実施が可能である。
【００４３】
上述した形態では、レバー部材８の回動中心は、カード通過路３よりも上側に配置されているが、レバー部材８の回動中心は、カード通過路３より下側に配置されても良い。また、上述した形態では、レバー部材８の回動中心は、カード当接部８ｄよりも奥側に配置されているが、レバー部材８の回動中心は、カード当接部８ｄより手前側に配置されても良い。また、上述した形態では、レバー部材８は、左右方向を回動の軸方向として回動可能となっているが、レバー部材８は、前後方向を回動の軸方向として回動可能となっていても良い。
【００４４】
上述した形態では、レバー部材８は、ステンレス鋼で形成されている。この他にもたとえば、レバー部材８は、ステンレス鋼以外の鉄鋼材料によって形成されても良いし、アルミニウム合金等の鉄鋼材料以外の金属材料で形成されても良い。また、上述した形態では、カードリーダ１は、磁気ヘッド７を備えているが、カードリーダ１は、磁気ヘッド７を備えていなくても良い。
【００４５】
上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、手動式のカードリーダであるが、カードリーダ１は、カード２を自動で搬送するカード搬送機構を有するカード搬送式のカードリーダであっても良い。
【符号の説明】
【００４６】
１  カードリーダ
２  カード
２ａ  カードの手前端
３  カード通過路
８  レバー部材（引抜き防止部材）
８Ａ  閉位置
８Ｂ  開位置
８ｂ  延出部
８ｃ  第２延出部
８ｄ  カード当接部
８ｇ  当接面
８ｈ  第１端面
８ｊ  第２端面
９  回動機構
Ｘ  カードの通過方向
Ｘ１  奥側（カードの挿入方向側）
Ｘ２  手前側（カードの引抜き方向側）
Ｙ  カードの幅方向
Ｚ  カードの厚さ方向
Ｚ１  第１方向側
Ｚ２  第２方向側
【図１】
2016122376.tif 000003
【図２】
2016122376.tif 000004
【図３】
2016122376.tif 000005
【図４】
2016122376.tif 000006